(57)【要約】【課題】簡素な工程によって製造可能な、節水機能を有するフロート弁を提供することである。【解決手段】本発明のフロート弁２０は、弁本体２１内部の所定領域に錘２２と、その錘２２に一端を固設した心棒２３とを含んで構成される。従来のフロート弁と比較した場合、本発明のフロート弁２０では、心棒２３は錘２２に固設されるので、従来例でフロート弁内部の上端に固設されていたのに対し、心棒２３の安定性がより増す。また、弁本体２１からの心棒２３の露出の長さｈを固定して考えると、この心棒２３の一端を固設する位置の関係から従来例と比較し、必要とする心棒の長さＬが短くて済む。【選択図】  図１
2004204616.tif 000002
【特許請求の範囲】
【請求項１】
便器を洗浄するための水が貯水されたタンクに設けられ、前記タンクの水を排水するために排水口の開閉に用いられるフロート弁において、
該弁本体内部の所定領域に錘を備えることを特徴とするフロート弁。
【請求項２】
さらに、弁本体を前記排水口に案内する心棒を有し、該心棒の一端を前記錘に固設したことを特徴とする請求項１記載のフロート弁。
【請求項３】
便器を洗浄するための水が貯水されたタンクに設けられ、前記タンクの水を排水するために排水口の開閉に用いられるフロート弁を製造する方法において、
前記フロート弁内部の所定領域に埋め込む錘のためのスペースを確保して、前記フロート弁の各部の型取りをし、
前記型取りした各部を前記錘と共に接合することを特徴とするフロート弁の製造方法。
【請求項４】
前記フロート弁の各部は、上半部、及び下半部によって構成されることを特徴とする請求項３記載のフロート弁の製造方法。
【請求項５】
さらに、弁本体を前記排水口に案内する心棒のためのスペースを前記下半部の型取りにおいて確保すると共に、その心棒をねじ込むための穴を前記錘に設けることを特徴とする請求項３記載のフロート弁の製造方法。
【発明の詳細な説明】
【０００１】
【発明の属する技術分野】
本発明は、便器を洗浄するための水が貯水されたタンクに設けられ、前記タンクの水を排水するために排水口の開閉に用いられるフロート弁、及びその製造方法に関する。
【０００２】
【従来の技術】
従来、水洗トイレなどにおいて、便器を洗浄するための水が貯水されたタンクから、フロート弁を用いてそのタンクの排水口を開閉することによって、前記タンクの水を排水し、便器を洗浄している。
【０００３】
このようなフロート弁の動作について、以下説明する。
図８にフロート弁３０が設けられ、便器を洗浄するための水を供給するタンク１０を示す。図において、フロート弁３０は、鎖１５を介して排出レバー１３に接続され、排出レバー１３を回すことにより排水口１７より離れる。フロート弁３０が排水口１７より離れると、タンク１０内の水が排水口１７よりタンク１０外に排出され、便器の洗浄が行われる。
【０００４】
このときタンク１０内の水の排出に伴い、タンク１０内の水位がしだいに下がり始める。水位が下がり始めると、止水フロート１２もその水位に伴って下がる。本発明とは直接関係ないため、詳細は省略するが、この止水フロート１２が所定位置まで下がった場合に、吸水口１１が開いてタンク１０内への吸水が行われる。
【０００５】
また、フロート弁３０についても、上記した排出レバー１３を回す操作によって、一旦は、排水口１７から離れたものの、水位が下がって、そのフロート弁３０の位置にまで達した後は、フロート弁３０は、水位と共に、その位置を下げ、最後には、排水口１７の位置に達して、その排水口１７をふさぐ。
【０００６】
このようにして、排水口１７がふさがれた状態では、上記した吸水口１１から供給される水によって、タンク１０内の水位がしだいに上がっていき、やがて元の水位に戻る。尚、オーバーフローサイフォン１４は、水位が所定の水位より上がった場合に、その余剰分の水をタンク１０外に排出する。
【０００７】
このタンクで用いられるフロート弁３０を図９に示す。図において、フロート弁３０は、弁本体３１内部の上端に一端を固設すると共に、フロート弁３０を排水口に案内する心棒３３を備えている。尚、図９において、心棒３３は、長さＬ'を有し、その内のｈだけ、弁本体３１から露出している。
【０００８】
【発明が解決しようとする課題】
しかしながら、上記したフロート弁３０が、排出レバー１３によって一旦排水口１７から持ち上げられてから、再び、排水口１７をふさぐまでには、上記したように水位がそのフロート弁３０の位置まで下りてくるのを待っていなければならなかった。そして、このことにより、必要以上の水が便器の洗浄に用いられることとなり、水資源の浪費にもつながっていた。
【０００９】
そこで、このような浪費をなくす目的で、これまで、様々な改良がフロート弁３０に対しなされてきた。
そのような改良の１つは例えば、下記特許文献１などに記載されるように、フロート弁３０に対し、外部から所定重量の錘を所定枚数、載せることで、フロート弁３０の重量を重くすることである。このようにすれば、フロート弁３０は、タンク１０内の水位がそのフロート弁３０の位置まで下りてくるのを待つ必要がなくなり、必要以上の水が便器の洗浄に用いられることもなくなる。
【００１０】
【特許文献１】特開平１０−３１７４５４号「フロート弁装置用の節水器」しかしながら、水資源を始めとする各資源を節約する必要性は近年では、かつてないほどに重要性を帯びてきている。そこで、このような節水機能についても、フロート弁にオプションとして付加されるよりも、フロート弁自体で有することが望まれている。
【００１１】
本発明の課題は、簡素な工程によって製造可能な、節水機能を有するフロート弁を提供することである。
本発明の別の課題は、心棒を有するフロート弁において、必要とする心棒の長さを短くでき、簡素な工程によって製造可能な、節水機能を有するフロート弁を提供することである。
【００１２】
本発明の別の課題は、心棒を有するフロート弁において、心棒の安定性を確保でき、簡素な工程によって製造可能な、節水機能を有するフロート弁を提供することである。
【００１３】
【課題を解決するための手段】
本発明は、上記課題を解決するため、下記のような構成を採用した。
すなわち、本発明の一態様によれば、本発明のフロート弁は、便器を洗浄するための水が貯水されたタンクに設けられ、前記タンクの水を排水するために排水口の開閉を行う。そして、その弁本体内部の所定領域に錘を備える構成である。
【００１４】
ここで、前記錘のためのスペースを、前記フロート弁の各部の型取りを行う際に確保しておけば、錘を弁本体内部に設けない従来のフロート弁を作るのと殆ど同じ工程により、錘を弁本体内部の所定領域に備えることができる。また、その錘の作用によって、上記したようにフロート弁は、タンクの水位がそのフロート弁の位置にまで下がるのを待つことなく、排水口をふさぐ。これにより、簡素な工程によって製造可能な、節水機能を有するフロート弁を提供することができる。
【００１５】
尚、さらに、弁本体を前記排水口に案内する心棒を有し、該心棒の一端を前記錘に固設してもよい。
このようにすれば、心棒は錘に固設されるので、従来例で弁本体内部の上端に固設されていたのに対し、心棒の安定性がより増す。また、弁本体からの心棒の露出の長さを固定して考えると、この心棒の一端を固設する位置の関係から従来例と比較し、必要とする心棒の長さが短くて済む。
【００１６】
【発明の実施の形態】
以下、本発明の実施の形態を、図面を参照しながら詳細に説明する。
図１は、本発明の一実施形態のフロート弁であり、図２は、図１のフロート弁を有するタンクである。
【００１７】
図１において、フロート弁２０は、弁本体２１内部の所定領域に錘２２と、その錘に一端を固設した、フロート弁２０を排水口まで案内する心棒２３とを含んで構成される。図９に示す従来のフロート弁と比較した場合、図１に示す本実施形態のフロート弁は、▲１▼心棒２３は錘２２に固設されるので、従来例でフロート弁３０の弁本体３１内部の上端に固設されていたのに対し、心棒２３の安定性がより増す、▲２▼フロート弁２０の弁本体２１からの心棒２３の露出の長さｈを固定して考えると、この心棒の一端を固設する位置の関係から従来例と比較し、必要とする心棒の長さＬが短くて済む（図１のＬ＜図９のＬ'）、などの特徴を有する。
【００１８】
以下で、このようなフロート弁２０を用いた場合のタンク１０内における、水の供給／排出の様子を図２を用いて説明する。尚、タンク１０内の動作で、従来例と重複する箇所については説明を省略する。
図２において、排水レバー１３を回すことによって、フロート弁２０が持ち上げられた場合でも、フロート弁２０は、その内部の所定領域に埋め込まれた錘２２の作用により、水位が下がるのを待つことなく、自ら下降して、排水口１７をふさぐ。よって、水を便器洗浄のために必要以上に浪費することがない。尚、錘２２の重さを、上記したように、自ら下降する程度、すなわち、フロート弁２０を水に浮かべた場合、そのまま浮いた状態を維持するのではなく、独りで沈んでしまう程度に設定してもよいし、また、フロート弁２０はそのまま浮いた状態を維持するが、その水面下に沈んでいる部分が所定量だけ増える程度に設定してもよい。いずれの場合においても節水効果が得られることはいうまでもない。
【００１９】
図３は、図１のフロート弁の製造方法を説明する図である。
以下、フロート弁の製造方法を図３を参照しつつ、図４のフローチャートを用いて説明する。
図４において、ステップＳ１で、フロート弁の各部の型取りを金型によって行う。例えば、図３（ａ）の点線Ａ部分を境にして、上半部用の金型と、下半部用の金型とによって、それぞれ、弁本体２１の上半部、下半部を作る。尚、この上半部、下半部の材質は例えばゴムである。本実施形態においては、この型取りにおいて、錘のためのスペースを確保するので、図９の従来例における錘を内部に含まないフロート弁を製作する場合と比較しても、工程が殆ど変わらないという利点を有する。
【００２０】
そして、ステップＳ２で、錘２２に心棒２３をねじ込むための穴を開け、ステップＳ３で、上記した弁本体２１の上半部、下半部を穴を開けた錘２２と共に接合し（図３（ｂ））、ステップＳ４で、心棒２３を弁本体２１の下半部を介して錘２２の穴にねじ込む（図３（ｃ））。
【００２１】
心棒２３の安定性が従来例に比較し増すこと、必要とする心棒２３の長さＬが従来例より短くて済むことは、上記した通りである。
以上の説明では、フロート弁は、フロート弁を排水口まで案内する心棒を備える構成であったが、心棒を備えないフロート弁について以下に述べる。
【００２２】
図５は、図１に示すフロート弁とは異なる心棒を備えないフロート弁の一例を示す図であり、図６は、その図５に示すフロート弁に対する従来のフロート弁を示す図であり、図７は、その図５に示すフロート弁を有する便器洗浄用タンクを示す図である。
【００２３】
図５において、フロート弁４０は、上記した心棒の替わりに、フロート弁４０を図７のオーバーフローサイフォン６４に固定させ、そのオーバーフローサイフォン６４に沿って排水口６７まで案内する案内部材４３を備え、弁本体４１内部の所定領域に錘４２を含んで構成される。このフロート弁４０においても、上記したように、その型取りにおいて、錘４２のためのスペースを確保するので、図６の従来例における錘を内部に含まないフロート弁５０を製作する場合と比較しても、工程が殆ど変わらないという利点を有する。
【００２４】
図５のフロート弁４０の図７のタンク６０内での動作については、上記した図２の説明とほぼ同じである。相違点としては、上記したフロート弁４０の構造（形状）などが挙げられる。
尚、以上の説明において、例えば図１に示す本発明の一実施形態のフロート弁２０の弁本体２１は、対応する従来例である図９のフロート弁３０の弁本体３１がその内部に空隙部を有していたのに対し、空隙部を有さず、これによって、錘２２をその弁本体２１内部の所定領域に固定する構成であったが、図１の弁本体２１内部の所定領域に錘２２を固定できるのであれば、空隙部を弁本体２１内部に設けることもできる。また同様に、図５に示す本発明の別実施形態のフロート弁４０の弁本体４１は、対応する従来例である図６のフロート弁５０の弁本体５１がその内部に空隙部を有していたのに対し、空隙部を有さず、これによって、錘４２をその弁本体４１内部の所定領域に固定する構成であったが、図５の弁本体４１内部の所定領域に錘４２を固定できるのであれば、空隙部を弁本体４１内部に設けることもできる。
【００２５】
【発明の効果】
以上説明したように、本発明によれば、簡素な工程によって製造可能な、節水機能を有するフロート弁を提供できる。
また、本発明によれば、心棒を有するフロート弁において、必要とする心棒の長さを短くでき、簡素な工程によって製造可能な、節水機能を有するフロート弁を提供できる。
【００２６】
また、本発明によれば、心棒を有するフロート弁において、心棒の安定性を確保でき、簡素な工程によって製造可能な、節水機能を有するフロート弁を提供できる。
【図面の簡単な説明】
【図１】本発明の一実施形態のフロート弁の側断面図である。
【図２】本発明の一実施形態のフロート弁を有するタンクを示す図である。
【図３】フロート弁の製造方法を説明する図である。
【図４】フロート弁の製造方法を示すフローチャートである。
【図５】本発明の別実施形態のフロート弁の側断面図である。
【図６】図５のフロート弁に対応する従来例のフロート弁の側断面図である。
【図７】本発明の別実施形態のフロート弁を有するタンクを示す図である。
【図８】従来のフロート弁を有するタンクを示す図である。
【図９】従来のフロート弁の側断面図である。
【符号の説明】
１０，６０  便器洗浄用タンク
１１，６１  吸水口
１２，６２  止水フロート
１３，６３  排出レバー
１４，６４  オーバーフローサイフォン
１５，６５  鎖
１７，６７  排水口
２０，３０，４０，５０  フロート弁
２１，３１，４１，５１  弁本体
２２，４２  錘
２３，３３  心棒
４３，５３  案内部材
【図１】
2004204616.tif 000003
【図２】
2004204616.tif 000004
【図３】
2004204616.tif 000005
【図４】
2004204616.tif 000006
【図５】
2004204616.tif 000007
【図６】
2004204616.tif 000008
【図７】
2004204616.tif 000009
【図８】
2004204616.tif 000010
【図９】
2004204616.tif 000011
【手続補正書】
【提出日】平成15年6月19日(2003.6.19)
【手続補正２】
【補正対象書類名】明細書
【補正対象項目名】特許請求の範囲
【補正方法】変更
【補正の内容】
【特許請求の範囲】
【請求項１】
便器を洗浄するための水が貯水されたタンクに設けられ、前記タンクの水を排水するために排水口の開閉に用いられるフロート弁を製造する方法において、
前記フロート弁内部の所定領域に埋め込む錘のためのスペースを確保して、前記フロート弁の各部の型取りをし、
前記型取りした各部を前記錘と共に接合することを特徴とするフロート弁の製造方法。
【請求項２】
前記フロート弁の各部は、上半部、及び下半部によって構成されることを特徴とする請求項１記載のフロート弁の製造方法。
【請求項３】
さらに、弁本体を前記排水口に案内する心棒のためのスペースを前記下半部の型取りにおいて確保すると共に、その心棒をねじ込むための穴を前記錘に設けることを特徴とする請求項２記載のフロート弁の製造方法。
【手続補正３】
【補正対象書類名】明細書
【補正対象項目名】０００１
【補正方法】変更
【補正の内容】
【０００１】
【発明の属する技術分野】
本発明は、便器を洗浄するための水が貯水されたタンクに設けられ、前記タンクの水を排水するために排水口の開閉に用いられるフロート弁の製造方法に係り、特には節水機能を有するフロート弁の製造方法に関する。


【手続補正４】
【補正対象書類名】明細書
【補正対象項目名】００１０
【補正方法】変更
【補正の内容】
【００１０】
【特許文献１】特開平１０−３１７４５４号


【手続補正５】
【補正対象書類名】明細書
【補正対象項目名】００１１
【補正方法】変更
【補正の内容】
【００１１】
しかしながら、水資源を初めとする各資源を節約する必要性は、近年では、かつてないほどに重要性を帯びてきている。そこで、このような節水機能についても、フロート弁にオプションとして付加されるよりも、フロート弁自体で有することが望まれている。
本発明の課題は、節水機能を有するフロート弁を簡素な工程によって製造することの可能な、フロート弁の製造方法を提供することである。


【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
【課題を解決するための手段】
本発明は、上記課題を解決するため、以下のような構成を採用する。
すなわち、本発明は、便器を洗浄するための水が貯水されたタンクに設けられ、前記タンクの水を排水するために排水口の開閉に用いられるフロート弁を製造する方法において、前記フロート弁内部の所定領域に埋め込む錘のためのスペースを確保して、前記フロート弁の各部の型取りをし、前記型取りした各部を前記錘と共に接合することを特徴とするものである。